【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
少なくとも２層以上の熱可塑性樹脂層および少なくとも１層以上の接着層から構成される多層中空成形体であって、熱可塑性樹脂層の内の少なくとも１層は（イ）（Ａ）パラフェニレンスルフィド単位を繰り返し単位として９０モル％以上含有するポリフェニレンスルフィド樹脂を主構成成分とし、かつ、ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有する共重合体の少なくとも１種を１〜２００重量部含有するポリフェニレンスルフィド樹脂組成物からなる層であり、熱可塑性樹脂層の内の少なくとも１層は（ロ）ポリフェニレンスルフィド樹脂以外の熱可塑性樹脂を主構成成分とする熱可塑性樹脂組成物からなる層であり、かつ（イ）層と（ロ）層の間に、両層と接着性を有する（ハ）接着層（但し、（ハ）接着層の主構成成分は上記（イ）層、（ロ）層の主構成成分と異なる）を有することを特徴とする多層中空成形体。
【請求項２】
（ロ）層を構成するポリフェニレンスルフィド樹脂以外の熱可塑性樹脂が、ポリアミド樹脂、熱可塑性ポリエステル樹脂、熱可塑性ポリウレタン樹脂、およびポリオレフィン樹脂から選ばれた少なくとも１種であることを特徴とする請求項１記載の多層中空成形体。
【請求項３】
（イ）層を構成するポリフェニレンスルフィド樹脂組成物中の（Ｂ）官能基を含有する共重合体が、α−オレフィンおよびα，βー不飽和酸のグリシジルエステルを主構成成分とする（Ｂ）エポキシ基含有オレフィン系共重合体である請求項１または２記載の多層中空成形体。
【請求項４】
（イ）層を構成するポリフェニレンスルフィド樹脂組成物中の（Ｂ）官能基を含有する共重合体が、α−オレフィン（１）とα，βー不飽和酸のグリシジルエステル（２）と更に下記一般式で示される単量体（３）を必須成分とするオレフィン系共重合体である請求項１または２記載の多層中空成形体。
【化１】
1999156970.tif 000001
（ここで、Ｒ1は水素または低級アルキル基を示し、Ｘは−ＣＯＯＲ2基、−ＣＮ基あるいは芳香族基から選ばれた基、またＲ2は炭素数１〜１０のアルキル基を示す）
【請求項５】
（イ）層を構成するポリフェニレンスルフィド樹脂組成物が、更に（Ｃ）エポキシ基、酸無水物基、カルボキシル基及びその塩、カルボン酸エステル基を含有しないエラストマーを含有するポリフェニレンスルフィド樹脂組成物であって、（Ａ）ポリフェニレンスルフィド樹脂１００重量部に対し（Ｃ）エポキシ基、酸無水物基、カルボキシル基及びその塩、カルボン酸エステル基を含有しないエラストマーの少なくとも１種を１〜２００重量部含有し、かつ（Ｂ）官能基を含有する共重合体と（Ｃ）エポキシ基、酸無水物基、カルボキシル基及びその塩、カルボン酸エステル基を含有しないエラストマーの合計が（Ａ）ポリフェニレンスルフィド樹脂１００重量部に対し、２００重量部以下である請求項１〜４いずれか記載の多層中空成形体。
【請求項６】
（イ）層を構成するポリフェニレンスルフィド樹脂組成物に用いる（Ａ）ポリフェニレンスルフィド樹脂が、脱イオン化処理されたものであることを特徴とする請求項１〜５いずれか記載の多層中空成形体。
【請求項７】
（ハ）接着層が、エポキシ基、酸無水物基、カルボキシル基またはその塩、イソシアネート基、アミノ基から選ばれる少なくとも１種の官能基を含有する化合物の少なくとも１種を含んでいることを特徴とする請求項１〜６いずれか記載の多層中空成形体。
【請求項８】
（ハ）接着層が、エポキシ基、酸無水物基、カルボキシル基またはその塩、イソシアネート基、アミノ基から選ばれる少なくとも１種の官能基を有するオレフィン系共重合体であることを特徴とする請求項７記載の多層中空成形体。
【請求項９】
多層中空成形体を構成する各層の内の少なくとも１層が、導電性熱可塑性樹脂組成物からなることを特徴とする請求項１〜８いずれか記載の導電性多層中空成形体。
【請求項１０】
導電層が（Ｅ）導電性フィラーまたは導電性ポリマーを配合してなる導電性熱可塑性樹脂組成物からなることを特徴とする請求項９記載の導電性多層中空成形体。
【請求項１１】
（イ）ポリフェニレンスルフィド樹脂を主構成成分とする組成物からなる層が導電層であることを特徴とする請求項９または１０記載の導電性多層中空成形体。
【請求項１２】
導電層の抵抗値が１０7Ω／ｍ以下である請求項９〜１１いずれか記載の導電性多層中空成形体。
【請求項１３】
多層中空成形体が、共押出成形法により製造された多層管状成形体である請求項１〜１２いずれか記載の導電性多層中空成形体。
【請求項１４】
自動車燃料チューブとして用いることを特徴とする請求項１〜１３いずれか記載の多層中空成形体。
【請求項１５】
自動車エンジン冷却液チューブまたはパイプとして用いることを特徴とする請求項１〜１４いずれか記載の多層中空成形体。
【手続補正２】
【補正対象書類名】明細書
【補正対象項目名】００１３
【補正方法】変更
【補正の内容】
【００１３】
１．少なくとも２層以上の熱可塑性樹脂層および少なくとも１層以上の接着層から構成される多層中空成形体であって、熱可塑性樹脂層の内の少なくとも１層は（イ）（Ａ）パラフェニレンスルフィド単位を繰り返し単位として９０モル％以上含有するポリフェニレンスルフィド樹脂を主構成成分とし、かつ、ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有する共重合体の少なくとも１種を１〜２００重量部含有するポリフェニレンスルフィド樹脂組成物からなる層であり、熱可塑性樹脂層の内の少なくとも１層は（ロ）ポリフェニレンスルフィド樹脂以外の熱可塑性樹脂を主構成成分とする熱可塑性樹脂組成物からなる層であり、かつ（イ）層と（ロ）層の間に、両層と接着性を有する（ハ）接着層（但し、（ハ）接着層の主構成成分は上記（イ）層、（ロ）層の主構成成分と異なる）を有することを特徴とする多層中空成形体。


【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
４．（イ）層を構成するポリフェニレンスルフィド樹脂組成物中の（Ｂ）官能基を含有する共重合体が、α−オレフィンおよびα，β−不飽和酸のグリシジルエステルを主構成成分とする（Ｂ）エポキシ基含有オレフィン系共重合体である上記１〜３いずれか記載の多層中空成形体。


【手続補正５】
【補正対象書類名】明細書
【補正対象項目名】００１８
【補正方法】変更
【補正の内容】
【００１８】
５．（イ）層を構成するポリフェニレンスルフィド樹脂組成物中の（Ｂ）官能基を含有する共重合体が、α−オレフィン（１）とα，β−不飽和酸のグリシジルエステル（２）と更に下記一般式で示される単量体（３）を必須成分とするオレフィン系共重合体である上記１〜３いずれか記載の多層中空成形体。


【手続補正６】
【補正対象書類名】明細書
【補正対象項目名】００２０
【補正方法】変更
【補正の内容】
【００２０】
６．（イ）層を構成するポリフェニレンスルフィド樹脂組成物が、（Ｂ）官能基を含有する共重合体として（Ｂ１）エポキシ基を含有するオレフィン系共重合体と（Ｂ２）酸無水物基を含有するオレフィン系共重合体との少なくとも２種の官能基含有オレフィン系共重合体を必須成分として含有するポリフェニレンスルフィド樹脂組成物であって、（Ｂ１）と（Ｂ２）の重量％が（Ｂ１）：（Ｂ２）＝１〜９９：９９〜１（合計１００重量％）である上記１〜５いずれか記載の多層中空成形体。


【手続補正７】
【補正対象書類名】明細書
【補正対象項目名】００２１
【補正方法】変更
【補正の内容】
【００２１】
７．（イ）層を構成するポリフェニレンスルフィド樹脂組成物が、更に（Ｃ）エポキシ基、酸無水物基、カルボキシル基及びその塩、カルボン酸エステル基を含有しないエラストマーを含有するポリフェニレンスルフィド樹脂組成物であって、（Ａ）ポリフェニレンスルフィド樹脂１００重量部に対し（Ｃ）エポキシ基、酸無水物基、カルボキシル基及びその塩、カルボン酸エステル基を含有しないエラストマーの少なくとも１種を１〜２００重量部含有し、かつ（Ｂ）官能基を含有する共重合体と（Ｃ）エポキシ基、酸無水物基、カルボキシル基及びその塩、カルボン酸エステル基を含有しないエラストマーの合計が（Ａ）ポリフェニレンスルフィド樹脂１００重量部に対し、２００重量部以下である上記１〜６いずれか記載の多層中空成形体。


【手続補正８】
【補正対象書類名】明細書
【補正対象項目名】００２２
【補正方法】変更
【補正の内容】
【００２２】
８．（イ）層を構成するポリフェニレンスルフィド樹脂組成物が、更に（Ｄ）エポキシ基、アミノ基、イソシアネート基、水酸基、メルカプト基、ウレイド基の中から選ばれた少なくとも１種の官能基を有するアルコキシシラン化合物の少なくとも１種を、（Ａ）ポリフェニレンスルフィド樹脂１００重量部に対して、０．０５〜５重量部添加して得られるものである上記１〜７いずれか記載の多層中空成形体。


【手続補正９】
【補正対象書類名】明細書
【補正対象項目名】００２３
【補正方法】変更
【補正の内容】
【００２３】
９．（イ）層を構成するポリフェニレンスルフィド樹脂組成物に用いる（Ａ）ポリフェニレンスルフィド樹脂が、脱イオン化処理されたものであることを特徴とする上記１〜８いずれか記載の多層中空成形体。


【手続補正１０】
【補正対象書類名】明細書
【補正対象項目名】００２４
【補正方法】変更
【補正の内容】
【００２４】
１０．（ハ）接着層が、エポキシ基、酸無水物基、カルボキシル基、イソシアネート基、アミノ基、水酸基から選ばれる少なくとも１種の官能基を含有する化合物の少なくとも１種を含んでいることを特徴とする上記１〜９いずれか記載の多層中空成形体。


【手続補正１１】
【補正対象書類名】明細書
【補正対象項目名】００２５
【補正方法】変更
【補正の内容】
【００２５】
１１．（ハ）接着層が、エポキシ基、酸無水物基、カルボキシル基、イソシアネート基、アミノ基、水酸基から選ばれる少なくとも１種の官能基を有するオレフィン系共重合体であることを特徴とする上記１０記載の多層中空成形体。


【手続補正１２】
【補正対象書類名】明細書
【補正対象項目名】００２６
【補正方法】変更
【補正の内容】
【００２６】
１２．多層中空成形体を構成する各層の内の少なくとも１層が、導電性熱可塑性樹脂組成物からなることを特徴とする上記１〜１１いずれか記載の導電性多層中空成形体。


【手続補正１３】
【補正対象書類名】明細書
【補正対象項目名】００２７
【補正方法】変更
【補正の内容】
【００２７】
１３．導電層が（Ｅ）導電性フィラーまたは導電性ポリマーを配合してなる導電性熱可塑性樹脂組成物からなることを特徴とする上記１２記載の導電性多層中空成形体。


【手続補正１４】
【補正対象書類名】明細書
【補正対象項目名】００２８
【補正方法】変更
【補正の内容】
【００２８】
１４．（Ｅ）導電性フィラーまたは導電性ポリマーが、非繊維状或いは長さ／直径比が２００以下の繊維状のいずれかの形態の導電性フィラーであることを特徴とする上記１３記載の導電性多層中空成形体。


【手続補正１５】
【補正対象書類名】明細書
【補正対象項目名】００２９
【補正方法】変更
【補正の内容】
【００２９】
１５．（Ｅ）導電性フィラーが、カーボンブラックであることを特徴とする上記１３または１４記載の導電性多層中空成形体。


【手続補正１６】
【補正対象書類名】明細書
【補正対象項目名】００３０
【補正方法】変更
【補正の内容】
【００３０】
１６．（イ）ポリフェニレンスルフィド樹脂を主構成成分とする組成物からなる層が導電層であることを特徴とする上記１２〜１５いずれか記載の導電性多層中空成形体。


【手続補正１７】
【補正対象書類名】明細書
【補正対象項目名】００３１
【補正方法】変更
【補正の内容】
【００３１】
１７．導電層の抵抗値が１０7Ω／ｍ以下である上記１２〜１６いずれか記載の導電性多層中空成形体。


【手続補正１８】
【補正対象書類名】明細書
【補正対象項目名】００３２
【補正方法】変更
【補正の内容】
【００３２】
１８．多層中空成形体が、共押出成形法により製造された多層管状成形体である上記１〜１７いずれか記載の導電性多層中空成形体。


【手続補正１９】
【補正対象書類名】明細書
【補正対象項目名】００３３
【補正方法】変更
【補正の内容】
【００３３】
１９．導電性多層中空成形体が、その全厚みが０．２ｍｍ以上３ｍｍ以下であり、かつ導電性を有する層の厚みが全厚みの１％以上５０％以下である上記１２〜１８いずれか記載の多層中空成形体。


【手続補正２０】
【補正対象書類名】明細書
【補正対象項目名】００３４
【補正方法】変更
【補正の内容】
【００３４】
２０．自動車燃料チューブとして用いることを特徴とする上記１〜１９いずれか記載の多層中空成形体。


【手続補正２１】
【補正対象書類名】明細書
【補正対象項目名】００３５
【補正方法】変更
【補正の内容】
【００３５】
２１．自動車エンジン冷却液チューブまたはパイプとして用いることを特徴とする上記１〜２０いずれか記載の多層中空成形体。


【手続補正２２】
【補正対象書類名】明細書
【補正対象項目名】００３６
【補正方法】変更
【補正の内容】
【００３６】
【発明の実施の形態】
本発明の基本構成は、少なくとも２層以上の熱可塑性樹脂層および少なくとも１層以上の接着層から構成される多層中空成形体であって、熱可塑性樹脂層の内の少なくとも１層は（イ）特定のポリフェニレンスルフィド樹脂を主構成成分とし、かつ、ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有する共重合体の少なくとも１種を１〜２００重量部含有するポリフェニレンスルフィド樹脂組成物からなる層であり、熱可塑性樹脂層の内の少なくとも１層は（ロ）ポリフェニレンスルフィド樹脂以外の熱可塑性樹脂を主構成成分とする熱可塑性樹脂組成物からなる層であり、かつ（イ）層と（ロ）層の間に、両層と接着性を有する（ハ）接着層を有することを特徴とする多層中空成形体である。


【手続補正２３】
【補正対象書類名】明細書
【補正対象項目名】００４１
【補正方法】変更
【補正の内容】
【００４１】
中でもアミド基１個当たりの炭素数が８〜１５の範囲である構造単位からなるポリアミド樹脂が好適であり、更にアミノカルボン酸またはその誘導体をモノマーとするポリアミド樹脂は、より優れた低温靱性を得る意味で特に好ましい。かかるポリアミドとしてはポリドデカンアミド（ナイロン１２）、ポリウンデカンアミド（ナイロン１１）などが例示でき、或いはメタクレゾール中（ポリマー濃度０．５重量％）、２５℃で測定した相対粘度が１．０〜７．０の範囲、特に１．５〜５．０の範囲のポリアミド樹脂が例示できる。


【手続補正２４】
【補正対象書類名】明細書
【補正対象項目名】００５３
【補正方法】変更
【補正の内容】
【００５３】
（イ）を構成する（Ａ）ＰＰＳ樹脂とは、下記構造式で示される繰り返し単位（パラフェニレンスルフィド単位）を
【化３】
1999156970.tif 000002
９０モル％以上を含む重合体であり、上記繰り返し単位が７０モル％未満では、耐熱性が損なわれるので好ましくない。またＰＰＳ樹脂はその繰り返し単位の１０モル％以下を、下記の構造式を有する繰り返し単位等で構成することが可能である。


【手続補正２５】
【補正対象書類名】明細書
【補正対象項目名】００６３
【補正方法】変更
【補正の内容】
【００６３】
本発明の（イ）層を構成するポリフェニレンスルフィド樹脂を主構成成分として含有するポリフェニレンスルフィド樹脂組成物において、（Ｂ）エポキシ基、酸無水物基、カルボキシル基及びその塩、カルボン酸エステルから選ばれる少なくとも１種の官能基を含有する共重合体を配合することは、優れた層間接着性、靱性、チューブとしての柔軟性などを得る意味において望ましい。


【手続補正２６】
【補正対象書類名】明細書
【補正対象項目名】００８０
【補正方法】変更
【補正の内容】
【００８０】
かかる２種の官能基を含有するオレフィン系共重合体を併用する場合、（Ｂ１）と（Ｂ２）の重量％は（Ｂ１）：（Ｂ２）＝１〜９９：９９〜１（合計１００重量％）の範囲が選択され、特に（Ｂ１）：（Ｂ２）＝５〜５０：９５〜５０（合計１００重量％）の範囲がより好ましい。


【手続補正２７】
【補正対象書類名】明細書
【補正対象項目名】００８９
【補正方法】変更
【補正の内容】
【００８９】
更に、（イ）層を構成するＰＰＳ樹脂を主構成成分とするポリフェニレンスルフィド樹脂組成物は、本発明の目的を損なわない範囲で、飽和ポリエステル樹脂、ポリスルホン樹脂、四フッ化ポリエチレン樹脂、ポリエーテルイミド樹脂、ポリアミドイミド樹脂、ポリアミド樹脂、ポリイミド樹脂、ポリエーテルスルホン樹脂、ポリエーテルケトン樹脂、ポリチオエーテルケトン樹脂、ポリエーテルエーテルケトン樹脂、熱可塑性ポリウレタン樹脂、ポリオレフィン樹脂、ＡＢＳ樹脂、ポリアミドエラストマ、ポリエステルエラストマなどの他の樹脂を含有しても良い。


【手続補正２８】
【補正対象書類名】明細書
【補正対象項目名】００９０
【補正方法】変更
【補正の内容】
【００９０】
なお（イ）層においてポリフェニレンスルフィド樹脂を主構成成分とするポリフェニレンスルフィド樹脂組成物とは、（イ）層を構成するポリフェニレンスルフィド樹脂組成物中の樹脂成分中で上記ポリフェニレンスルフィド樹脂が、最大の重量割合を占めているポリフェニレンスルフィド樹脂組成物を示す。なお、ポリフェニレンスルフィド樹脂以外の熱可塑性樹脂とポリフェニレンスルフィド樹脂が同量の場合は、ポリフェニレンスルフィド樹脂が最大重量割合を占めるものとみなす。また化学構造が同じであれば分子量等が異なっていても同成分と見なすが、例えばオレフィン系共重合体であっても化学構造が異なるものは異種成分とみなす。


【手続補正２９】
【補正対象書類名】明細書
【補正対象項目名】００９１
【補正方法】変更
【補正の内容】
【００９１】
次に（ハ）接着層について説明する。本発明における接着層とは、（イ）パラフェニレンスルフィド単位を繰り返し単位として９０モル％以上含有するポリフェニレンスルフィド樹脂を主構成成分とし、かつ、ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有する共重合体の少なくとも１種を１〜２００重量部含有するポリフェニレンスルフィド樹脂組成物からなる層と、（ロ）ポリフェニレンスルフィド樹脂以外の熱可塑性樹脂を主構成成分とする熱可塑性樹脂組成物からなる層の間に配置され、両層と接着性を有する層である。但し、ここで（ハ）接着層の主構成成分は上記（イ）層、（ロ）層の主構成成分と異なっている。なお（ハ）層が熱可塑性樹脂組成物の場合、（ハ）層の主構成成分とは、（ハ）層を構成する熱可塑性樹脂組成物中で、最大の重量割合を占めている熱可塑性樹脂成分を示す。また化学構造が同じであれば分子量等が異なっていても同成分と見なすが、例えばオレフィン系共重合体であっても化学構造が異なるものは異種成分とみなす。


【手続補正３０】
【補正対象書類名】明細書
【補正対象項目名】０１０６
【補正方法】変更
【補正の内容】
【０１０６】
本発明の好ましい態様の一つは、少なくとも２層以上の熱可塑性樹脂層および少なくとも１層以上の接着層から構成される多層中空成形体であって、熱可塑性樹脂層の内の少なくとも１層は（イ）パラフェニレンスルフィド単位を繰り返し単位として９０モル％以上含有するポリフェニレンスルフィド樹脂を主構成成分とし、かつ、ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有する共重合体の少なくとも１種を１〜２００重量部含有するポリフェニレンスルフィド樹脂組成物からなる層であり、熱可塑性樹脂層の内の少なくとも１層は（ロ）ポリフェニレンスルフィド樹脂以外の熱可塑性樹脂を主構成成分とする熱可塑性樹脂組成物からなる層であり、かつ（イ）層と（ロ）層の間に、両層と接着性を有する（ハ）接着層を有することを特徴とする多層中空成形体であって、かかる多層中空成形体を構成する各層の内の少なくとも１層が、導電性熱可塑性樹脂組成物からなることを特徴とする導電性多層中空成形体である。


【手続補正３１】
【補正対象書類名】明細書
【補正対象項目名】０１０７
【補正方法】変更
【補正の内容】
【０１０７】
本発明において（イ）パラフェニレンスルフィド単位を繰り返し単位として９０モル％以上含有するポリフェニレンスルフィド樹脂を主構成成分とし、かつ、ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有する共重合体の少なくとも１種を１〜２００重量部含有するポリフェニレンスルフィド樹脂組成物からなる層が導電層であっても良く、また（ロ）ポリフェニレンスルフィド樹脂以外の熱可塑性樹脂を主構成成分とする熱可塑性樹脂組成物からなる層が導電層であっても良く、またその両者が導電層であっても良い。また、２層以上の（イ）パラフェニレンスルフィド単位を繰り返し単位として９０モル％以上含有するポリフェニレンスルフィド樹脂を主構成成分とし、かつ、ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有する共重合体の少なくとも１種を１〜２００重量部含有するポリフェニレンスルフィド樹脂組成物からなる層を含む多層中空成形体であって、その内の１層或いは２層以上が導電層であっても良い。更には２層以上の（ロ）ポリフェニレンスルフィド樹脂以外の熱可塑性樹脂を主構成成分とする熱可塑性樹脂組成物からなる層を含む多層中空成形体であって、その内の１層或いは２層以上が導電層であっても良い。


【手続補正３２】
【補正対象書類名】明細書
【補正対象項目名】０１４８
【補正方法】変更
【補正の内容】
【０１４８】
実施例１〜１２、比較例１〜４
上記材料または樹脂組成物を用い、熱可塑性樹脂組成物層２〜３層および接着層１層からなるチューブを成形した。


【手続補正３３】
【補正対象書類名】明細書
【補正対象項目名】０１４９
【補正方法】変更
【補正の内容】
【０１４９】
成形装置としては、３〜４台の押出機を有し、この３〜４台の押出機から吐出された樹脂をアダプターによって集めてチューブ状に成形するダイス、チューブを冷却し寸法制御するサイジングダイ、および引取機からなるものを使用した。


【手続補正３４】
【補正対象書類名】明細書
【補正対象項目名】０１５２
【補正方法】変更
【補正の内容】
【０１５２】
【表２】
1999156970.tif 000003
【手続補正３５】
【補正対象書類名】明細書
【補正対象項目名】０１５３
【補正方法】変更
【補正の内容】
【０１５３】
【表３】
1999156970.tif 000004
【手続補正３６】
【補正対象書類名】明細書
【補正対象項目名】０１５５
【補正方法】変更
【補正の内容】
【０１５５】
実施例１と実施例２，３の比較から、（Ｂ１）エポキシ基を含有するオレフィン系共重合体と（Ｂ２）酸無水物基を含有するオレフィン系共重合体の併用あるいはエポキシシラン化合物の添加が、チューブ低温靱性の向上、層間接着性の向上にに有効であることがわかる。


【手続補正３７】
【補正対象書類名】明細書
【補正対象項目名】０１５６
【補正方法】変更
【補正の内容】
【０１５６】
また実施例２と実施例４の比較から脱イオン化処理されたＰＰＳの適用が、チューブ低温靱性の向上、層間接着性の向上に有効であることがわかる。